(57)【特許請求の範囲】
【請求項１】
刃部の形状が異なる二種類のカミソリを備え、このカミソリは安全カミソリまたはＴ字型カミソリであって、一方のカミソリの刃部の先端は凸状の形状を呈し、他方のカミソリの刃部の先端は凹状の形状を呈し、各カミソリをコンパクト容器型のケース本体内に折畳み自在に設け、各カミソリはコンパクト容器型のケース本体から独立的に出没自在となるように構成し、ケース本体の蓋体を閉めることにより突出しているカミソリの安定保持を図ることができ、ケース本体内に収納された二種類のカミソリの刃部の近傍に、カミソリの引き起こし時に指先が刃部に当接するのを防止するための安全用の立設壁を備えるように構成したことを特徴とする携帯用カミソリ。
【請求項２】
ケース本体内にカミソリを収納した際に、カミソリの妄動を防止するためのストッパー手段をケース本体内に備えたことを特徴とする請求項１記載の携帯用カミソリ。
【発明の詳細な説明】
【０００１】
【産業上の利用分野】
本発明は携帯用カミソリに関し、さらに詳しくは使用時の安全性と簡便性とを兼ね備え、さらに二種類の異なる形状の刃部を備えた携帯用カミソリに関する。
【０００２】
【従来の技術】
従来知られている携帯用カミソリとして、携帯を考慮して小型化されたものは存在しなかった。
また実用に供されているカミソリとしては、カミソリの刃部形状が一種類だけで、その刃部にキャップをかぶせたものが存在していたに過ぎない。
【０００３】
【発明が解決しようとする課題】
このため、従来のカミソリは携帯に不便であり、また一種類だけの刃部にキャップをかぶせて携帯可能にしたものにあっては、そのキャップの縁が刃部の付近に位置するものであったため、縁に指先を掛けてキャップを取り外す際に指先をカミソリの刃で傷付け易いという欠点があった。
【０００４】
また腋そりや脚そりのようにカミソリの使用対象部位が凹面状であったり、凸面状であったりするような場合には、それに対応して凸状又は凹状に形成された刃部を持つ別個のカミソリが要求され、その使用対象部位に対応した二種類のカミソリを揃えなければならないという問題点があった。
【０００５】
本発明は、上記の問題点を全て解消した携帯用カミソリを提供することを目的とするものである。
【０００６】
【課題を解決するための手段】
上記課題を解決するために、本発明の請求項１にかかる携帯用カミソリは、刃部の形状が異なる二種類のカミソリを備え、このカミソリは安全カミソリまたはＴ字型カミソリであって、一方のカミソリの刃部の先端は凸状の形状を呈し、他方のカミソリの刃部の先端は凹状の形状を呈し、各カミソリをコンパクト容器型のケース本体内に折畳み自在に設け、各カミソリはコンパクト容器型のケース本体から独立的に出没自在となるように構成し、ケース本体の蓋体を閉めることにより突出しているカミソリの安定保持を図ることができ、ケース本体内に収納された二種類のカミソリの刃部の近傍に、カミソリの引き起こし時に指先が刃部に当接するのを防止するための安全用の立設壁を備えるように構成したことを特徴とするものである。
【０００７】
ついで請求項２にかかる携帯用カミソリは、ケース本体内にカミソリを収納した際に、カミソリの妄動を防止するためのストッパー手段をケース本体内に備えたことを特徴とするものである。
【０００８】
【作用】
本発明では前記の構成を採用したため、不使用時には全体が小型化して携帯性が向上し、かつ刃部が本体ケース内に隠されるため安全性が向上し、使用時には目的の刃部のみがケース本体から突出するため、一つの携帯用カミソリでありながら使用対象部位の異なる箇所に適切に対応できる。
【０００９】
【実施例】
以下、本発明を図面の実施例により具体的に説明するが、本発明はこれらに限定されるものではない。
【００１０】
図１はコンパクト容器型のケース本体１に、一対のカミソリ２，３を折畳み自在、かつ出没自在に収納し、カミソリ２、３をケース本体１内に収納後は、蓋体４を閉めてコンパクト容器型のケース本体中に二種類のカミソリを体裁良く納めるものである。
【００１１】
カミソリ２、３は、軸５ａ、５ｂを中心に転動して折畳み自在になるもので、不使用時には図１及び図２の状態に倒伏され、使用時にはそれぞれカミソリ２、３を軸５ａ、５ｂを中心に転動させて引き起こし、使用すべき側のカミソリのみをケース本体１から飛び出させる。
【００１２】
一方の側のカミソリをケース本体１から突出させた後、蓋体４を閉めると突出したカミソリが蓋体４とケース本体１の端縁部とで挾持されてその状態を安定的に保持し、その結果使用中にはカミソリが不用意に倒伏することはない。
【００１３】
なお図３及び図４は、説明の都合上２種類のカミソリがケース本体１から同時に突出した形となっているが、実際の使用状況下では、何れか一方のカミソリだけがケース本体１から突出することになり、他方のカミソリはケース本体１内にとどまる。
【００１４】
カミソリ２、３は、棒体部６ａ、６ｂと、刃部７ａ、７ｂとの組み合せで構成され、棒体部６ａ、６ｂの根元部がケース本体１内の両端部付近の軸受け板８ａ、８ｂに支持されている軸５ａ、５ｂを介して転動自在に係止されている。
【００１５】
また使用する側のカミソリ（例えばカミソリ２）を使用状態側に所定角度だけ転動させると、その棒体部６ａがケース本体１の端縁部に当接して、最も使用し易い角度で停止するようになっている。  この状態で蓋体４を閉めると前記の通りカミソリ２の安定的保持が行われ、使用者はケース本体１や蓋体４部分に指を掛けながら（必要に応じて、棒体部６ａ、６ｂにも指をかけることは可能）、カミソリ２を使用することになる。
【００１６】
カミソリ２の使用が終わった際には、再度カミソリ２をケース本体１内に納まるように転動させて収納状態とすれば安全な携帯が可能となる。  カミソリ２、３の収納に際しては、クリック止め等の適宜のストッパー手段（図示しない）を採用してカミソリ２、３がケース本体内で妄動しないように安定保持を図るようにすることが好ましい。
【００１７】
また符号９は、カミソリの引き起し時に指先が刃部７ａ、７ｂに当接するのを防止するための安全用の立設壁である。  この立設壁９の形状としては、図示の如く平板状に形成してもよいが、刃部７ａ、７ｂの先端形状に対応させて平面形状が凸状又は凹状になるように曲折してもよく、こうすれば無用の隙間の発生を防止することができる。
【００１８】
カミソリ２、３は、棒体部６ａ、６ｂと、脇そり（先端が凸状の形状）や腕脚そり（先端が凹状の形状）に適した形状の異なる、すなわち凸状を呈するものと、凹状を呈する刃部７ａ、７ｂとの組み合せから構成される。  このように、一対の刃部７ａ、７ｂの形状は相互に異なるものとなっているので、使用対象部位の二種類の曲面形状に対応可能となる。
【００１９】
その結果、本発明の携帯カミソリを一つ準備すれば、カミソリを使う箇所が複数で、それらが異なる形状の刃部を必要とする部位であったとしても、充分対応することができる。
【００２０】
【発明の効果】
よって本発明の携帯用カミソリによれば、一つのものを用意するだけで、腋そりや脚そりに対応でき、携帯時にはコンパクト容器型のケース本体内に刃部が隠されるので安全であり、使用時にはケース本体の蓋体を開けるだけで刃部を簡単にむき出し状にすることができ、また使用時のカミソリの安定的保持も万全であるため使用性にも優れる等の効果がある。
【図面の簡単な説明】
【図１】本発明のコンパクト容器型のケース本体に納められた、カミソリの収納状態の正面図である。
【図２】同平面図である。
【図３】図１の実施例において、カミソリをケース本体から突出させた状態の正面図である。
【図４】同平面図である。
【符号の説明】
１  ケース本体
２、３  カミソリ
４  蓋体
５ａ、５ｂ  軸
６ａ、６ｂ  棒体部
７ａ、７ｂ  刃部
８ａ、８ｂ  軸受け板
９  立設壁
【図１】
0003561548.tif 000002
【図２】
0003561548.tif 000003
【図３】
0003561548.tif 000004
【図４】
0003561548.tif 000005